(57)【特許請求の範囲】
【請求項１】
複合サッシの障子体を構成し、金属框の室内側に樹脂框を配設し室内外を連通する空気通路を形成してなる換気框であって、
金属框を上框部材及び下框部材で構成し、両框部材の間には内壁部と外壁部とで挟まれた中空部を形成し、内壁部には長手方向に連続する多数の内側換気孔を、また外側壁部には長手方向に連続する多数の外側換気孔を設けると共に、
内壁部には上記内側換気孔に対応する位置に開口を備え長手方向に摺動可能に設けられ、その配置位置を変更することにより、内側換気孔の実質的な空気流通面積を調整できる流量調整板を設け、
上記樹脂框には上記内側換気孔に対応する個所に上記内側換気孔と連通する室内側換気孔を設け、
上記上框部材には上記外壁部の外側に垂下され、先端が上記下框部材に近接して配置され、下框部材との間で長手方向にスリット状の室外側換気孔を形成すると共に、該室外側換気孔と上記中空部の外側に配置された外側換気孔とを上下方向に連通する垂直空気通路を形成する垂下板部を延設した複合サッシの換気框。
【請求項２】
上記垂直空気通路には垂直空気通路内に張り出し、空気の流れを乱す突起部を形成した請求項１に記載の複合サッシの換気框。
【請求項３】
上記空気流通量調整用の流量調整板を断熱性を有するものとして形成した請求項１又は請求項２に記載の複合サッシの換気框。
【請求項４】
上記樹脂框の室内側換気孔の近傍に長手方向に連続する中空部を設けた請求項１乃至請求項３のいずれか１項に記載の複合サッシの換気框。
【発明の詳細な説明】
【０００１】
【発明の属する技術分野】
本発明は、複合サッシの障子体を構成し、金属框の室内側に樹脂框を配設してなり、室内外を連通する空気通路を有する換気框を内蔵するようにした複合サッシの換気框に関する。
【０００２】
【従来の技術】
従来、ガラス窓等のサッシ障子体に室内外の換気を可能とする金属換気框を据付けたものが広く用いられている。この金属換気框は、室内外を連通する換気孔を備え、その換気孔を手動操作される可動板で開閉して、通気量の調整を行なえるようにしたものである。そして、上記金属換気框を上下框の近傍に別途に設けることなく、換気框自体をサッシの上框内や下框内に組み込むようにしたものもある。
【０００３】
このような換気框を備えた金属換気框として、図９及び図１０に示すものがある（特開平８-９３３４８号公報参照）。本例においてサッシ１００は、下框１０１，上框１０２と左右の縦框１０３，１０４によりフレーム１０６を構成し、このフレーム１０６にガラス板１０５を嵌め込んで構成されている。これら框１０１〜１０４は、アルミ製の押出型材により形成されている。
【０００４】
この例では上框１０２を換気框としている。上框１０２は、図１０に示すように、紙面と直交する方向に延びる細長い本体１１０と、この本体１１０より若干短く形成され本体１１０の長手方向に延びる流量調整板１２０と、流量調整板１２０を操作する操作つまみ１３０とからなる換気機構を備えている。
【０００５】
上記本体１１０は、２つの型材、内側型材１１０ａ，外側型材１１０ｂを組み合わせることにより構成されている。そして、この両型材１１０ａ，１１０ｂの間には、空気溜まり室１５１および補助空間１５２が形成されている。また、内側型材１１０ａの下端部には支持部１１３が外側に向け形成されており、この支持部１１３には、ガラス板１０５の上縁が嵌め込まれている。
【０００６】
そして、本例では、外側型材１１０ｂには、下端近傍から斜め下方に室内側に向かって延びる斜壁１１８を形成している。この斜壁１１８の下端は内側型材１１０ａの支持部１１３上側に連結されている。
【０００７】
また、本例では、上記外側型材１１０ａの下端部は、上記支持部１１３と距離を開け、幅広帯状の開口１１４を設けるように構成されており、この開口１１４から空気が自由に流入するように構成されている。
【０００８】
そして、上記斜壁１１８には多数の内側換気孔１１８ｘ（室外側換気口）が本体１１０の長手方向に等しいピッチで並んで形成されている。また、外側本体１１０ａの上部には補助空間１５２に隣接して、多数の内側換気孔１１２ｘ（室内側内側換気孔）が、長手方向に並んで形成されている。外気は、開口１１４から入り、内側換気孔１１８ｘを経て、空気溜まり室１５１および補助空間１５２を通り、内側換気孔１１２ｘから室内に導かれるようになっている。
【０００９】
また、斜壁１１８には流量調整板１２０が取り付けられている。この流量調整板１２０は、内側換気孔１１８ｘの開閉を行い、本体１１０の長手方向に延びる断面Ｌ字形の一対のガイド突起１６１，１６２により支持されており、斜壁１１８の内側換気孔１１８ｘと等ピッチで長手方向に並んで形成された多数の制御孔１２０ｘを有しており、斜壁１１８の上面となるスライド面１１８ａに接している。流量調整板１２０は、開き位置と閉じ位置との間で、上框１０２の長手方向にスライド可能となっている。
【００１０】
流量調整板１２０の開き位置では、内側換気孔１１８ｘと制御孔１２０ｘとが一致しており、前述した通路を経て通気が可能な状態である。流量調整板１２０の移動に伴い内側換気孔１１８ｘが調整板１２０に塞がれていき、やがて閉じ位置に至る。この閉じ位置では、内側換気孔１１８ｘ，制御孔１２０ｘが一致せず、内側換気孔１１８ｘは流量調整板１２０に塞がれて、通気遮断状態になる。
【００１１】
この例の他に、室内外の断熱性の確保や結露の防止、室内側での意匠性の向上を目的として、室内側露出部分に樹脂製框を備えた複合サッシ障子が近年用いられている。このような複合サッシとして本件出願人は次のような提案を行っている（特開平１１−１３１９２８号公報参照）。
【００１２】
これは、図１１に示すように、金属框の室内側に、断熱性能を備えた樹脂框を配設した框材を框組みしてなる複合サッシの障子に換気框を備えたものである。
【００１３】
本例では複合サッシは、上述した例と同様に上框を換気框を備えた換気框としている。即ち、上框２００は、金属框２１１と樹脂框２２０とで構成されている、金属框２１１は、本体フレーム２１２と該本体フレーム２１２の室外側開口に装着される室外パネル２１３とで、その内部空間に中空部２１４を形成するようにして構成されており、その室内側の本体フレーム２１２と室外側の室外パネル２１３の各側面にそれぞれ、横長手方向に多数連続する換気孔２１５、２１６を備えている。ここで、室外パネル２１３に設けられる換気孔２１６は蚊等の虫が侵入できないような幅寸法の縦長スリット状の開口であり、これが縦方向に２列並設され、開口面積を所定のものとしている。
【００１４】
上記樹脂框２２０は、上記金属框２１１の室内側換気孔２１５と連通する換気孔２２２を設けるようにしてある。そして、上記のように構成された換気框２１０を装着した障子の室内外の換気は、これら換気孔２１５、２１６、２２２を通して行われる。
【００１５】
上記樹脂框２２０に設ける換気孔２２２は、上記室外パネル２１３の換気孔２１６の形状に対し、やや幅広のスリット状孔を上下２段に連続させてなる。また、この換気孔２２２に対応する金属框２１１の室内側換気孔２１５は、実質的にこれと同一形状のスリット孔で形成されている。
【００１６】
上記金属框２２０の中空部２１４の内部には、空気流通量の調整用のために可動板２１７を備えている。この可動板２１７は、その上端を支承部２１８に嵌合して、屋内外に回動できるように取り付けられている。また可動板２１７は、破線で示した垂直位置で室内側の換気孔２１５の背面に位置し、該換気孔２１５を閉塞するもので、このように換気孔２１５を可動板２１７で閉塞することにより、室内外は空間的に遮断され、換気框２１０を通しての通気が行われなくなる。
【００１７】
また実線で示す位置に可動板２１７を回動させることにより、室内側の換気孔２２２、２１５と室外側の換気孔２１６とは連通し、各換気孔を通しての通気が可能となる。この場合、流量調整板１２０の回動量調整用のことにより、換気体を通しての通気量を制御することができる。
【００１８】
【発明が解決しようとする課題】
しかし上述した従来の前者の金属サッシにあっては、室内外の断熱が図れず、室内に結露が生じるほか、室内に金属製框の表面が露出してしまい、室内の壁面装飾等との一体性を持たせることができない。
【００１９】
また、上記の点を改良した後者の複合サッシにおける換気框にあっては、室外側に設けられる換気孔が縦長のスリット状の開口が上下に２列、横長手方向に連続して設けられているため、框の他の形状を工夫しても、換気孔が目立ってしまい、框のデザインが限られてしまい意匠性に乏しいという問題がある。
【００２０】
また、換気孔を設ける必要性から、更に可動板を設けるため中空部を縦長に形成する必要性から、換気框の見付け寸法が大きくなる。このため、換気框をサッシに使用する場合には、通常のサッシの上框に換え換気框を取り付けることはできず、そのサッシを換気框付きのものとして特別に製造しなければならならず煩雑である。
【００２１】
更に、一般のサッシと、換気框付きのサッシとでは換気框の換気孔が目立つことと、見付け寸法が異なるという点でデザインの統一性に欠け、サッシの意匠性が乏しくなるという問題がある。
【００２２】
本発明は、上記問題点を鑑みてなされたもので、複合サッシの換気框の外観及び見付け寸法を通常の框と近いものとして、意匠性に富み、且つ、通常の框との互換性を備えたものとできる複合サッシの換気框を提供することを目的とする。
【００２３】
【課題を解決する手段】
上記課題を解決するため、請求項１に記載の本発明は、複合サッシの障子体を構成し、金属框の室内側に樹脂框を配設し室内外を連通する空気通路を形成してなる換気框であって、金属框を上框部材及び下框部材で構成し、両框部材の間には内壁部と外壁部とで挟まれた中空部を形成し、内壁部には長手方向に連続する多数の内側換気孔を、また外側壁部には長手方向に連続する多数の外側換気孔を設けると共に、内壁部には上記内側換気孔に対応する位置に開口を備え長手方向に摺動可能に設けられ、その配置位置を変更することにより、内側換気孔の実質的な空気流通面積を調整できる流量調整板を設け、上記樹脂框には上記内側換気孔に対応する個所に上記内側換気孔と連通する室内側換気孔を設け、上記上框部材には上記外壁部の外側に垂下され、先端が上記下框部材に近接して配置され、下框部材との間で長手方向にスリット状の室外側換気孔を形成すると共に、該室外側換気孔と上記中空部の外側に配置された外側換気孔とを上下方向に連通する垂直空気通路を形成する垂下板部を延設したものである。
【００２４】
請求項２に記載の本発明は、上記請求項１に記載の複合サッシの換気框において、垂直空気通路には垂直空気通路内に張り出し、空気の流れを乱す突起部を形成したものである。
【００２５】
請求項３に記載の本発明は、上記請求項１又は請求項２に記載の複合サッシの換気框において、空気流通量調整用の流量調整板を断熱性を有するものとして形成したものである。
【００２６】
請求項４に記載の本発明は、上記請求項１乃至請求項３のいずれか１項に記載の複合サッシの換気框において上記樹脂框の室内側換気孔の近傍に長手方向に連続する中空部を設けたものである。
【００２７】
上記した本発明によれば、サッシの室外側に現れる室外側換気孔は長手方向に伸びる細いスリット状の孔としたから、室外換気孔はそれほど目立たず、框及びサッシの意匠性を損なうことはなく、上記目的を達成することができる。
【００２８】
［作用］
本発明によれば、サッシの室外側に現れる室外側換気孔は長手方向に伸びる細いスリット状の孔であるから、それほど目立たず框及びサッシの意匠性を損なうことはない。また、室外側換気孔を開設するために框の見付け寸法が大きくならないし、また、流量調整板は長手方向に摺動するものとして設けられるから、その配置に上下方向に寸法を取らない。したがって框の見付け寸法を大きくする必要がない。このため、通常の框と同様の寸法、同様の意匠とすることができ、互換性に優れたものとすることができる。
【００２９】
更に、室外側換気孔から外側換気孔にいたる垂直空気通路は上下方向に設けられているから、虫や雨水が内部に浸入しにくいものとできる。
【００３０】
更に請求項２に記載の発明によれば、この垂直空気通路に突起部を設けているので、空気流路が屈曲させられ、空気流が乱れるため虫や雨水の浸入をより確実に防止することができる。
【００３１】
また、請求項３に記載の本発明によれば、サッシの断熱性が良好なものとなる。
そして、請求項４に記載の発明のように樹脂框の室内側換気孔の近傍に長手方向に連続する中空部を設けると、サッシの断熱性が更に向上する他、樹脂框の強度が高まる。
【００３２】
【発明の実施の形態】
以下、本発明の実施の形態に係る複合サッシの換気框について図面を参照して詳細に説明する。本発明の換気框の取り付け対象となるサッシ障子は、その形態によって、テラス障子や窓障子等と呼ばれるものであり、本実施形態においては特にテラス障子に取り付ける場合について説明する。
【００３３】
なお、本発明の換気は、本実施形態に示すサッシ障子以外のどのようなサッシ障子に対しても取り付けられてよいものであり、また引き違い式のサッシ障子においては、一方だけでなく両方のサッシ障子に取り付けられてもよく、また引き違いに限らず開き窓に用いてもよい。
【００３４】
図１は本発明の実施の形態に係る換気框１０をテラス障子の上框に取り付けた状態の縦断面図を示している。また、図２は図１の要部拡大図、図３は換気框１０の框部材だけを示す要部断面図である。なお、本実施形態においては、換気框を上框に取り付けた例を示してあるが、これに限らず一つの障子の中で下框や縦框等のいずれに取り付けてもよい。
【００３５】
本例のテラス障子は、室内外の出入りを可能とする引き違い障子であり、図１に示すように、障子Ａは、上框１、下框２及び左右の縦框３で框組みした障子体内にガラス体４を嵌めこんで形成されている。そして、この障子Ａを上下枠６、７及び縦枠８で枠組みされた枠体Ｂ内に取り付けてある。本例では換気框１０は、このテラス障子の上框１として設けられる。
【００３６】
これらのテラス障子Ａの各框部材１，２，３は、アルミの押出し型材により成形された金属框材と、この金属框材の室内側に接合された樹脂框材とで形成され、金属樹脂複合材で框部材を形成することにより、断熱性と意匠性の向上が図られている。
【００３７】
本例において換気框１０は、図２及び図３に示すように室外側に設けらる金属框２０と、この金属框の室内側に配設される樹脂框７０とで構成される。そしてこの換気框１０には、これら框材２０，７０によってその上部には上部受け部１１が下部には下部受け部１２が、それぞれ断面形状が凹溝となるように形成されてなる。
【００３８】
上記金属框２０は、上框部材３０とこの上框部材３０の下部に接合される下框部材５０とから構成され、その内部に上壁部、下壁部、外壁部及び内壁部で囲まれた中空部２１を形成するようにして構成されている。
【００３９】
上框部材３０は、その断面形状において、上下方向に伸びる縦板部３１とこの縦板部３１から室内側に延びる横板部３２とから構成されている。
【００４０】
また、下框部材５０は、その断面形状において、上記下部受け部１２を構成する垂下板部５１と、この垂下板部５１の上端から室内側に延びる延設板部５２と、この延設板部５２の室外側及び室内側に立設される内側立設板部５３及び外側立設板部５４から構成されている。
【００４１】
ここで、上記上框部材３０の縦板部３１はその上部において上記上部受け部１１を形成し、また、横板部３２は上記中空部２１の上壁部を形成している。
【００４２】
そして、上記下框部材５０の垂下板部５１は上記下部受け部１２を形成し、延設板部５２は上記中空部２１の下壁部を形成し、また下框部材５０の内側立設板部５３は中空部２１の内壁部を形成し、外側立設板部５４は外壁部を形成している。
【００４３】
本例では中空部２１の内壁部を形成する上記内側立設板部５３には、図５に示すように略方形状の内側換気孔５５を横長手方向に連続して開設している。
【００４４】
また、外壁部を形成する上記外側立設板部５４には、図６に示すように、略長円形の外側換気孔５６を横長にして横長手方向に連続して開設している。
【００４５】
更に、上記上框部材３０の下部は、下框部材５０の外側立設板部（中空部の外壁部）の外側に垂下される垂下板部３３とし、下框部材５０の垂下板部５１と略面一となるよう形成されていると共に、垂下板部３３の先端が上記下框部材５０に近接して配置され、下框部材５０のとの間で長手方向に狭いスリット状の室外側換気孔６１を形成している。室外側換気孔６１の間隙寸法は１〜４ｍｍ、好ましくは２〜３ｍｍがよい。
【００４６】
また、この垂下板部３３は下框部材５０の外側立設板部５４との間に室外側換気孔６１と上記外側換気孔５６とを上下方向に連通する垂直空気通路６２を形成している。
【００４７】
本例では、この垂直空気通路６２を構成する上框部材３０の垂下板部３３の内側と、下框部材５０の外側立設板部５４の外側に垂直空気通路６２内に張り出し長手方向に延設される突起部６３，６４をそれぞれ形成し、垂直空気通路６２の流路を屈曲したものとして、空気流を乱すものとしている。
【００４８】
なお上記上框部材３０と、下框部材５０とは、それぞれ係合突起３４，３５、５７，５８を設け、両框部材３０，５０を長手方向から互いに差し込んで係合突起３４，３５、５７，５８を係合させることにより、密接に接合できるものとしている。
【００４９】
なお、これらの金属框は上記例のように２つに分割して形成することなく一体に形成してもよい。
【００５０】
上記樹脂框７０は、その断面形状において、鉛直方向に配置される縦板部７１と、この縦板部７１から外側方向に延設される延設板部７２とから一体に構成されている。
【００５１】
縦板部７１には図２乃至図４に示すように、上記内側換気孔５５に連通して所定の空間部２３を介して室内側換気孔７３が開設されている。また、この縦板部７１の上部板部７５は上記上部受け部１１を形成し、下部板部７６は上記下部受け部１２を形成する。
【００５２】
上記樹脂框７０に設ける室内側換気孔７３は、図４に示すように、略正方形状の孔であり、上下２段、長手方向に規則的に連続して開設されている。
【００５３】
また、上記樹脂框７０の縦板部７１の上部板部７５には、２段に連設した中空部７４，７４を横長手方向に設けて、断熱性の向上を図ると共に、樹脂框７０の強度を補強してある。
【００５４】
そして、上記樹脂框７０の縦板部７１及び延設板部７２には、上記上框部材３０に設けた係合突起３６、および下框部材５０に設けた係合凹部５９に係合する係合部７７，７８を設けて、樹脂框７０を金属框２０に対し長手方向から差し込み、接合するものとしている。
【００５５】
上記した金属框２０は、前記したようにアルミの押出し型材にて成型される。また、上記樹脂框７０は塩化ビニルやアクリル樹脂等から成型されるもので、周囲の壁装飾材に適応させた樹脂材を用いることができ、更に、これらの樹脂材には、木材粉等を混入させて外観上あたかも木材で形成されているかのように見せることができる。
【００５６】
上記金属框２０の中空部２１の内部には、空気流通量の調整用のために流量調整板９０を備えている。この流量調整板９０は、細長い板状の樹脂製部材で、下框部材５０の内側立設板部の外側に長手方向に延びる一対のガイド突起６５，６６により支持されており、内側立設板部５３に開設された内側換気孔５５と等ピッチで長手方向に並んで形成された多数の制御孔９１を開設してなる。この流量調整板９０は、開き位置と閉じ位置との間で、框長手方向にスライド可能に配置される。
【００５７】
流量調整板９０の開き位置では、図５（２）示したように、内側換気孔５５と制御孔９１とが一致しており、前述した通路を経て通気が可能な状態である。流量調整板９０の移動に伴い内側換気孔が流量調整板９０に塞がれていき、やがて閉じ位置に至る。この閉じ位置では、図５（３）に示したように、内側換気孔５５と制御孔９１とが一致せず、内側換気孔５５は流量調整板９０に塞がれて、通気遮断状態になる。
【００５８】
本例では、図８（１）、（２）に示すように、換気框１０を構成する樹脂框７０の室内側面には、上記流量調整板９０を動作させる操作杆９５が備えられている。操作杆９５は流量調整板９０に取付片９６を介して金属框２０内で連結され、操作杆９５を左右にスライドすることによって、流量調整板９０を開位置から閉位置までスライドさせることができる。
【００５９】
次に、図２に示すように、この換気框１０の上面部及び下面部には、それぞれその横長手方向に沿って連続する凹部形状をした上部受け部１１と下部受け部１２が形成されている。この上部受け部１１には上枠６の枠部材６ａが連係され、また下部受け部１２にはガラス体４がシール材５を介して取り付けられる。
【００６０】
上記上部受け部１１の内縁部には、タイト材１１ａが設けられ、上枠６の枠部材６ａ（樹脂材にて形成）と気密性を向上させるようにしてある。
【００６１】
換気框１０の長手方向両端には、必要により樹脂製のキャップを備えることができる。このキャップは、一側部に段状の嵌合凸部を有し、これを換気框両側部の開口内に挿入して嵌合させると共に、ネジ等によって換気框のネジ受け部に固定される。このキャップによって、上框１の側面からの通気漏れを防止することができる。
【００６２】
なお、上記キャップを用いることなく、換気框即ち上框の側面に直接縦框を当接させることも勿論できる。
【００６３】
次に、本発明に係る換気框１０をテラス障子に取り付ける場合について説明する。本例では、まず、流量調整板９０を下框部材５０の長手方向から下框部材５０に形成されたガイド突起６５，６６間にスライド装着させ、次に上框部材３０と下框部材５０とを係合突起３４，３５、５７，５８を組み合わせて金属框２０を組み立て、そして、組み立てた金属框２０と樹脂框７０とを係合突起３６、係合部７７，７８および係合凹部５９を長手方向にスライド装着させて接合させる。次に、その両端面部に必要によりキャップを取り付ける。一方、ガラス体４の上端部はシール材５を介して、換気框１０の下部受け部１２に装着・保持される。
【００６４】
また、換気框１０を窓障子の下框２に取り付ける場合については、上記した図１、２の実施例の上受部１１と下受部１２とを上下反転させる構造とすればよい。
【００６５】
すなわち、換気框１０は下框２として配置されるもので、下部受け部１２は下枠７の枠部材が連係されるように形成させ、且つ、ガラス体４の下端はシール材５を介して、上部受け部１１に装着・保持されるように構成される。
【００６６】
また一方、換気框１０を窓障子の縦框３とする場合については、横長形状に形成した上記した図１、２の実施例を、実質的に縦長形状となるように起立させて使用すればよい。
【００６７】
以上、本発明の換気体及びその取り付け構造の一実施形態について説明したが、本発明は前記実施例に限定されず、特許請求の範囲の記載に基づいて種々の改良、変更が可能である。
【００６８】
【発明の効果】
上記したように請求項１に記載の発明によれば、サッシの室外側に現れる室外側換気孔は長手方向に伸びる細いスリット状の孔としたから、室外換気孔はそれほど目立たず框及びサッシの意匠性を損なうことはない。また、室外側換気孔を開設するために框の見付け寸法が大きくならないし、また、流量調整板は長手方向に摺動するものとして設けられるから、その配置に上下方向に寸法を取らない。したがって框の見付け寸法を大きくする必要がない。このため、通常の框と同様の寸法、同様の意匠とすることができ、互換性に優れたものとすることができる。
しかも、室外側換気孔から中空部の外側に配置された外側換気孔にいたる個所には、垂直空気通路が形成され、しかも該通路は上下方向に設けられているから、虫や雨水が中間の中空部を介して室内側に浸入することを二重に防止している。
【００６９】
また、請求項２に記載の発明によれば、垂直空気通路に突起部を設けているので、空気流路が屈曲させられ、空気流が乱れるため、虫や雨水の浸入をより確実に防止することができるという効果がある。
【００７０】
更に、請求項３に記載の本発明によれば、金属框の中間部に設けた空気流通量調整用の可動板を断熱性の材質としたことから、多数の通孔を形成して断熱性能が低下しがちな換気孔部において、その断熱性能の低下を押さえて断熱性の向上を図ることができる効果がある。
【００７１】
そして、請求項４に記載の発明によれば、樹脂框の室内側換気孔の近傍に長手方向に連続する中空部を設けるようにしたから、サッシの断熱性が更に向上する他、樹脂框の強度が高まるという効果がある。
【図面の簡単な説明】
【図１】本発明の換気框をテラス障子の上框に取り付けた一実施形態の縦断面図である。
【図２】図１に示した換気框の要部拡大図である。
【図３】図１に示した換気框の空気の流れを示す框の断面図である。
【図４】図１に示した換気框を構成する樹脂框を示す図であり、（１）は樹脂框の端面図、（２）は（１）中のii方向からの矢視図である。
【図５】図１に示した換気框を構成する下部框部材と流量調整板の作動の位置関係を示す図であり、（１）は框の端面図、（２）は（１）をii方向から見た流量調整板の開口と金属框の内側通気孔とが一致した開き状態を示す図、（３）は（１）をii方向から見た流量調整板の開口と金属框の内側通気孔とがずれた閉め状態を示す図である。
【図６】図１に示した換気框を構成する下部框部材を示す図であり、（１）は端面図、（２）は（１）中のii方向からの矢視図である。
【図７】図１に示した換気框を構成する上框部材を示す図であり、（１）は端面図、（２）は（１）中のii方向からの矢視図である。
【図８】図１に示した換気框の樹脂框と流量調整板との配置を示す図であり、（１）は框の端面図、（２）は（１）中のii方向からの矢視図である。
【図９】従来のサッシの換気框が適用されるサッシを示す正面図である。
【図１０】従来のサッシの換気框を示す図９中のＸ−Ｘ線に相当する断面図である。
【図１１】従来の複合サッシの換気框を示す図９中のＸ−Ｘ線に相当する断面図である。
【符号の説明】
１  上框
２  下框
３  縦框
４  ガラス体
５  シール材
６  上枠
７  下枠
８  縦枠
１０  換気框
１１ａ  タイト材
１１  上受け部
１２  下受け部
２０  金属框
２１  中空部
２３  空間部
３０  上框部材
３１  縦壁部
３２  横板部
３３  垂下板部
３４  係合突起
３５  係合突起
３６  係合突起
５０  下框部材
５１  垂下板部
５２  延設板部
５３  内側立設板部
５４  外側立設板部
５５  内側換気孔
５６  外側換気孔
５７  係合突起
５８  係合突起
５９  係合凹部
６１  室外側換気孔
６２  垂直空気通路
６３  突起部
６４  突起部
６５  ガイド突起
６６  ガイド突起
７０  樹脂框
７１  縦板部
７２  延設板部
７３  室内側換気孔
７４  中空部
７５  上部板部
７６  下部板部
７７  係合部
７８  係合部
９０  流量調整板
９１  制御孔
９５  操作杆
【図１】
0003542962.tif 000002
【図２】
0003542962.tif 000003
【図３】
0003542962.tif 000004
【図４】
0003542962.tif 000005
【図５】
0003542962.tif 000006
【図６】
0003542962.tif 000007
【図７】
0003542962.tif 000008
【図８】
0003542962.tif 000009
【図９】
0003542962.tif 000010
【図１０】
0003542962.tif 000011
【図１１】
0003542962.tif 000012